(57)【要約】【課題】  断熱屋根パネルの接続部分の断熱性及び防水性を確保するために大きな労力を必要とせず、施工性に優れる断熱屋根パネルの接続構造を提供する。【解決手段】  二枚の金属板１、２の間に断熱材３を設けた断熱屋根パネルＡの両側端部に接続山部５、６を設ける。隣接する断熱屋根パネルＡ、Ａの接続山部５、６同士を接続する断熱屋根パネルＡ、Ａの接続構造に関する。一方の接続山部５の側面に側方に突出する嵌合凸部７を設けると共に他方の接続山部６の側面に側方に開口する嵌合凹部８を設ける。嵌合凸部７と嵌合凹部８とを嵌合すると共に嵌合凸部７の下面７ａと嵌合凹部８の下面８ａとの間にパッキン４を挟持させる。【選択図】  図１
2006152759.tif 000002
【特許請求の範囲】
【請求項１】
二枚の金属板の間に断熱材を設けた断熱屋根パネルの両側端部に接続山部を設け、隣接する断熱屋根パネルの接続山部同士を接続する断熱屋根パネルの接続構造において、一方の接続山部の側面に側方に突出する嵌合凸部を設けると共に他方の接続山部の側面に側方に開口する嵌合凹部を設け、嵌合凸部と嵌合凹部とを嵌合すると共に嵌合凸部の下面と嵌合凹部の下面との間にパッキンを挟持させて成ることを特徴とする断熱屋根パネルの接続構造。
【請求項２】
断熱屋根パネルの接続山部の頂部から固定具を打入して屋根下地に断熱屋根パネルを固定して成ることを特徴とする請求項１に記載の断熱屋根パネルの接続構造。
【請求項３】
接続山部に打ち込まれた固定具の頭部を覆うためのキャップを接続山部に係止して取り付けて成ることを特徴とする請求項２に記載の断熱屋根パネルの接続構造。
【発明の詳細な説明】
【技術分野】
【０００１】
本発明は、家屋や工場などの屋根を形成する際に用いられる断熱屋根パネルの接続構造に関するものである。
【背景技術】
【０００２】
従来より、屋根の断熱性能を高めるために、二枚の金属板の間に断熱材を設けて形成される断熱屋根パネルで屋根を形成することが行なわれている（例えば、特許文献１参照）。図１０に示すように、従来の断熱屋根パネルＡ′は、塗装鋼板などの金属板で形成される表面板３０と裏面板３１の間に硬質ウレタンなどの断熱材３３を充填して形成されるものであって、表面側に突出する複数の山部３４が所定の間隔を介して並設されている。また、断熱屋根パネルＡ′の一方の側端部には表面板３０に延設された接続片３５が突設されていると共に断熱屋根パネルＡ′の他方の側端部には山部３４よりもやや幅狭の接続山部３６が設けられている。この接続山部３６の外面には断熱性確保のための断熱パッキン３７が設けられている。また、接続片３５の下面には防水性確保のためのシーリングテープ４０が設けられている。
【０００３】
そして、上記の断熱屋根パネルＡ′を用いて屋根を形成するにあたっては、次のようにして行なう。まず、図１１に示すように、山部３４が屋根の傾斜方向と同方向になるようにして断熱屋根パネルＡ′を母屋などの屋根下地９に載置する。次に、屋根下地９に載置した断熱屋根パネルＡ′の隣に他の断熱屋根パネルＡ′を載置する。この時、図１２に示すように、一方の断熱屋根パネルＡ′の接続山部３６に他方の断熱屋根パネルＡ′の接続片３５を被せてシーリングテープ４０を介して重ね合せると共に断熱屋根パネルＡ′の接続片３５側の側端面を断熱パッキン３７に密着させる。この後、重ね合せた接続片３５と接続山部３６とシーリングテープ４０を貫通するようにしてテクスや釘、ドリリングスクリューなどの複数本の固定具３９を屋根下地９にまで打ち込むことによって、隣接する断熱屋根パネルＡ′、Ａ′同士を接続すると共に断熱屋根パネルＡ′、Ａ′を屋根下地９に固定する。また、一部の山部３４に複数本の固定具３９を打ち込むことによっても、断熱屋根パネルＡ′を屋根下地９に固定する。このようにして複数枚の断熱屋根パネルＡ′Ａ′…を横方向（屋根の傾斜方向と直交する方向）に接続しながら並設することによって、屋根を形成することができる。
【０００４】
また、上記固定具３９により接続山部３６に重ねた接続片３５の上面及び山部３４の上面に固定金具４５を取り付け、この固定金具４５にキャップ１１′を係止することによって、接続山部３６及び山部３４にキャップ１１′を取り付けるようにしている。
【特許文献１】特開平３−８６５４０号公報
【発明の開示】
【発明が解決しようとする課題】
【０００５】
しかし、上記の断熱屋根パネルＡ′の施工方法では、隣接する断熱屋根パネルＡ′、Ａ′の接続部分の防水性を確保するために、人力のみで一方の断熱屋根パネルＡ′を他方の断熱屋根パネルＡ′の方に押し付けて、接続片３５側の側端面を断熱パッキン３７に密着させなければならず、断熱屋根パネルＡ′を断熱パッキン３７に密着させるために大きな労力を必要とし、施工性が低いという問題があった。
【０００６】
本発明は上記の点に鑑みてなされたものであり、断熱屋根パネルの接続部分の断熱性及び防水性を確保するために大きな労力を必要とせず、施工性に優れる断熱屋根パネルの接続構造を提供することを目的とするものである。
【課題を解決するための手段】
【０００７】
本発明の断熱屋根パネルＡの接続構造は、二枚の金属板１、２の間に断熱材３を設けた断熱屋根パネルＡの両側端部に接続山部５、６を設け、隣接する断熱屋根パネルＡ、Ａの接続山部５、６同士を接続する断熱屋根パネルＡ、Ａの接続構造において、一方の接続山部５の側面に側方に突出する嵌合凸部７を設けると共に他方の接続山部６の側面に側方に開口する嵌合凹部８を設け、嵌合凸部７と嵌合凹部８とを嵌合すると共に嵌合凸部７の下面７ａと嵌合凹部８の下面８ａとの間にパッキン４を挟持させて成ることを特徴とするものである。
【０００８】
本発明にあっては、断熱屋根パネルＡの接続山部５、６の頂部から固定具１０を打入して屋根下地９に断熱屋根パネルＡを固定するのが好ましい。
【０００９】
また、本発明にあっては、接続山部５、６に打ち込まれた固定具１０の頭部１２を覆うためのキャップ１１を接続山部５、６に係止して取り付けることができる。
【発明の効果】
【００１０】
本発明では、剛性を有する嵌合凸部７の下面７ａと剛性を有する嵌合凹部８の下面８ａとの間にパッキン４を配置した状態で断熱屋根パネルＡの自重によりパッキン４を挟持することができ、人力のみで一方の断熱屋根パネルＡを他方の断熱屋根パネルＡの方に押し付けることなく、嵌合凸部７の下面７ａと嵌合凹部８の下面８ａとにパッキン４を密着させることができ、断熱屋根パネルＡ、Ａの接続部分の断熱性及び防水性を確保するために大きな労力を必要とせず、施工性に優れるものである。
【００１１】
また、断熱屋根パネルＡを屋根下地９に固定するための固定具１０を接続山部５、６に打入して、断熱屋根パネルＡを固定具１０で屋根下地９に固定することによって、固定具１０により剛性を有する嵌合凸部７と嵌合凹部８との間でパッキン４を圧縮しながら締め付けて嵌合凸部７の下面７ａと嵌合凹部８の下面８ａに対するパッキン４の密着状態を高く維持することができ、断熱屋根パネルＡ、Ａの接続部分の断熱性及び防水性の低下を防止することができるものである。
【００１２】
また、接続山部５、６に打ち込まれた固定具１０の頭部１２を覆うためのキャップ１１を接続山部５、６に係止して取り付けるので、キャップ１１により固定具１０の頭部１２を覆うことにより、断熱屋根パネルＡ、Ａの接続部分の防水性を高めることができると共に、キャップ１１を接続山部５、６に係止して取り付けることにより、キャップ１１を取り付けるための他の部材を必要とせず、施工を簡素化することができるものである。
【発明を実施するための最良の形態】
【００１３】
以下、本発明を実施するための最良の形態を説明する。
【００１４】
図２に示すように、断熱屋根パネルＡは二枚の金属板１、２の間に断熱材３を充填して設けることにより形成されている。二枚の金属板１、２のうち、一方の金属板１は断熱屋根パネルＡの表面を全面に亘って覆う表面板として、他方の金属板２は断熱屋根パネルＡの裏面を全面に亘って覆う裏面板としてそれぞれ形成されており、金属板１、２としては、例えば、塗装鋼板、亜鉛めっき鋼板、アルミニウム−亜鉛合金めっき鋼板、ステンレス鋼板、チタン板などで厚み０．２〜１ｍｍのものを用いることができるが、これらに限定されるものではない。また、断熱材３としては、例えば、フェノールフォームやウレタンフォームなどの樹脂発泡体やグラスウールやロックウールなどの無機繊維体などで、密度２０〜２００ｋｇ／ｍ３のものを用いることができるが、これらに限定されるものではない。
【００１５】
断熱屋根パネルＡの両側端部には接続山部５、６がそれぞれ設けられている。接続山部５、６は断熱屋根パネルＡの表面側に突出して形成されていると共に接続山部５、６は断熱屋根パネルＡの側端部の全長に亘って形成されている。一方の接続山部５にはその側面（外側面）の上部において嵌合凸部７が断熱屋根パネルＡの側端部の全長に亘って側方（外側方）に突出するように形成されていると共にこの接続山部５にはその下部において下面と外側面とに開口する差し込み凹部１３が断熱屋根パネルＡの側端部の全長に亘って側方に開口させて形成されている。上記の嵌合凸部７の上面は接続山部５の上面を構成している。また、他方の接続山部６にはその上部において上面と側面（外側面）とに開口する嵌合凹部８が断熱屋根パネルＡの側端部の全長に亘って側方に開口させて形成されていると共にこの接続山部６にはその下部において差し込み凸部１４が断熱屋根パネルＡの側端部の全長に亘って側方に突出するように形成されている。上記の接続山部５、６の内部は嵌合凸部７の内部を含めて断熱材３が充填されており、また、接続山部５、６の表面は嵌合凸部７の表面や嵌合凹部８の内面を含めて表面側の金属板１で覆われている。従って、嵌合凸部７の下面７ａと嵌合凹部８の下面８ａのいずれもが表面板（上板）である金属板１の側端部の折曲げ加工部分で形成されることになる。また、嵌合凸部７や嵌合凹部８の内面は、後述のパッキン４の圧縮で生じる反発力に抗して変形や破損が生じないような剛性を有するものである。また、接続山部５、６の裏面は差し込み凹部１３の内面を含めて裏面側の金属板２で覆われていると共に差し込み凸部１４は裏面側の金属板２を折り返し屈曲して形成されている。また、差し込み凸部１４の基部側上面にはやや窪ませた排水溝部１４ａが設けられている。この排水溝部１４ａは接続山部５、６の間の隙間から雨水が浸入した場合の排水経路となる部分である。さらに、接続山部５の上部の嵌合凸部７と反対側の側面（内側面）及び接続山部６の上部の嵌合凹部８と反対側の側面（内側面）には係止突起１６が接続山部５、６の全長に亘って設けられている。そして、嵌合凸部７の下面７ａ及び嵌合凹部８の下面８ａは断熱屋根パネルＡの裏面側の金属板２とほぼ平行に形成されている。
【００１６】
上記のように形成される接続山部６の嵌合凹部８にはパッキン４が接着するなどして設けられている。パッキン４は断熱性及び防水性を有するものであって、透水しないエチレンプロピレンゴム（ＥＰＤＭ）のような弾性体でテープ状に形成されており、嵌合凹部８の下面８ａの全長に亘って設けられている。このパッキン４は例えば、内部に多数の独立気泡を有して断熱性を有するように形成されている。パッキン４は嵌合凹部８に設ける代わりに、接続山部５の嵌合凸部７の下面７ａの全長に亘って設けるようにしても良い。
【００１７】
また、断熱屋根パネルＡの幅方向の略中央部には中央山部１５が断熱屋根パネルＡの表面側に突出して設けられていると共に、中央山部１５と接続山部５、６との間には接続山部５や中央山部１５よりも低い補強山部１７が断熱屋根パネルＡの表面側に突出して設けられている。中央山部１５及び補強山部１７は接続山部５、６の長手方向と平行に長く形成され、断熱屋根パネルＡの全長に亘って設けられている。尚、後述のようにして接続された接続山部５、６の外観は中央山部１５の外観とほぼ同じとなる。
【００１８】
本発明で用いるキャップ１１は、合成樹脂や金属板の成形品などで長尺に形成されるものであって、下面が開口する断面略コ字状のキャップ本体１１ａと、キャップ本体１１ａの両端から斜め下方に突出する係止片１１ｂとを備えて形成されており、係止片１１ｂの上下方向の略中央部には被係止突起１１ｃがキャップ１１の全長に亘って設けられている。
【００１９】
そして、上記の断熱屋根パネルＡを用いて屋根を形成するにあたっては次のようにして行なう。まず、一枚の断熱屋根パネルＡを母屋などの屋根下地９に載置する。この場合、断熱屋根パネルＡをその接続山部５、６と中央山部１５及び補強山部１７の長手方向が屋根の傾斜方向と平行となるように配置する。次に、嵌合凹部８を設けた一方の接続山部６にその頂部（嵌合凹部８以外の上面部分）から屋根下地９にまで固定具１０を打入して（打ち込んで）この断熱屋根パネルＡを屋根下地９に固定する。固定具１０としては、例えば、テクスや釘、ドリリングスクリューなどを用いることができるが、これに限定されるものではない。また、固定具１０は接続山部６の長手方向に沿って複数箇所に打ち込むことができる。
【００２０】
次に、固定した上記断熱屋根パネルＡに別の断熱屋根パネルＡを近づけ、両方の断熱屋根パネルＡ、Ａを隣接させながら上記別の断熱屋根パネルＡを屋根下地９に載置する。このとき、屋根下地９に固定した断熱屋根パネルＡの嵌合凹部８に別の断熱屋根パネルＡの接続山部５の嵌合凸部７を嵌合しながら、且つ屋根下地９に固定した断熱屋根パネルＡの差し込み凸部１４を別の断熱屋根パネルＡの差し込み凹部１３に差し込みながら、両方の断熱屋根パネルＡ、Ａを隣接させる。そして、このように嵌合凸部７と嵌合凹部８とを嵌合させると、図１に示すように、パッキン４が上記近づけた断熱屋根パネルＡの自重により、剛性を有する嵌合凸部７の下面７ａと剛性を有する嵌合凹部８の下面８ａとの間で圧縮されながら挟持されることになり、嵌合凸部７の下面７ａと嵌合凹部８の下面８ａとに密着することになる。
【００２１】
次に、嵌合凹部８と嵌合された上記嵌合凸部７を設けた接続山部５にその頂部（嵌合凸部７以外の上面部分）から屋根下地９にまで上記と同様の固定具１０を打入して（打ち込んで）この断熱屋根パネルＡを屋根下地９に固定する。固定具１０は接続山部５の長手方向に沿って複数箇所に打ち込むことができる。また、この固定具１０は差し込み凹部１３に差し込まれた差し込み凸部１４を貫通するように打ち込まれる。そして、上記断熱屋根パネルＡの自重及び固定具１０の打ち込みによる締め付けより、剛性を有する嵌合凸部７の下面７ａと剛性を有する嵌合凹部８の下面８ａとの間でパッキン４が圧縮されながらさらに強固に挟持されることになり、嵌合凸部７の下面７ａと嵌合凹部８の下面８ａへの密着性が高まることになる。
【００２２】
この後、嵌合凸部７と嵌合凹部８が嵌合して隣接する接続山部５、６を跨ぐようにしてキャップ１１を取り付ける。このとき、キャップ本体１１ａで接続山部５、６に打ち込んだ固定具１０、１０の頭部１２を含む接続山部５、６の上面を覆うと共に、係止片１１ｂの被係止突起１１ｃを接続山部５、６の係止突起１６に係止することによって、接続山部５、６の全長に亘ってキャップ１１を取り付ける。
【００２３】
このようにして、横方向（屋根の傾斜方向と直交する方向）に隣接する断熱屋根パネルＡ、Ａを接続山部５、６で接続しながら縦横（屋根の傾斜方向とそれに直交する方向）に複数枚の断熱屋根パネルＡ、Ａ…を並設することによって、屋根を形成することができる。
【００２４】
本発明では、断熱性及び防水性を有するパッキン４が断熱屋根パネルＡの自重により、剛性を有する嵌合凸部７の下面７ａと剛性を有する嵌合凹部８の下面８ａとの間で圧縮されながら挟持され、嵌合凸部７の下面７ａと嵌合凹部８の下面８ａとに密着するので、人力のみで隣接する断熱屋根パネルＡ、Ａ同士を押し付けることなく、嵌合凸部７と嵌合凹部８とにパッキン４を密着させることができ、断熱屋根パネルＡ、Ａの接続部分の断熱性及び防水性を確保するために大きな労力を必要としないものである。また、固定具１０を接続山部５、６に打ち込むので、嵌合凸部７と嵌合凹部８との嵌合状態が外れたり緩んだりするのを防止することができると共に、固定具１０により剛性を有する嵌合凸部７と嵌合凹部８との間でパッキン４を圧縮しながら締め付けることができ、嵌合凸部７と嵌合凹部８に対するパッキン４の密着状態を高く維持することができるものである。さらに、接続山部５、６の両方に固定具１０を打ち込んで断熱屋根パネルＡを屋根下地９に固定することによって、中央山部１５や補強山部１７に固定具１０を打ち込まなくても固定具１０を接続山部５、６に集約し、一枚の断熱屋根パネルＡに打ち込む固定具１０の本数を従来と同様にすることができ、屋根下地９の間隔（母屋間隔）を広くしても断熱屋根パネルＡを屋根下地９に強固に固定することができ、しかも、中央山部１５や補強山部１７に防水性や外観の向上のためにキャップ１１を取り付ける必要もなくなって、省施工化及び低価格化を図ることができる。また、キャップ１１を接続山部５、６に係止して取り付けることにより、キャップ１１を取り付けるための他の部材を必要とせず、施工を簡素化及び低価格化を図ることができる。すなわち、従来では山部３４に打ち込んだ固定具３９を覆う場合、図１１に示すように、山部３４の上面に固定具３９により固定金具４５を固定し、この固定金具４５にキャップ１１′を係止して取り付けるようにしていたが、本発明では、接続山部５、６に係止突起１６を設けてこれにキャップ１１の被係止突起１１ｃを係止することによって、接続山部５、６にキャップ１１を取り付けることができ、従来のような固定金具が必要ないものである。そして、キャップ１１により接続山部５と接続山部６の間に形成される隙間及び固定具１０の打ち込み部分を覆うことができ、防水性を向上させることができる。
【００２５】
図３には本発明の他の実施の形態を示す。この断熱屋根パネルＡの接続構造では、接続山部５、６の形状が異なる点を除いて上記実施の形態と同様である。
【００２６】
接続山部５の上部に設けた嵌合凸部７はその側面７ｂが外方（断熱屋根パネルＡの外方）に向かって下り傾斜するように形成されている。また、嵌合凸部７よりも下側において接続山部５の側面も外方に向かって下り傾斜するように形成されている。さらに、接続山部５の下部に設けた差し込み凹部１３は断熱屋根パネルＡの厚み方向において上記図１の実施の形態よりも深く形成されている。
【００２７】
一方、接続山部６の上部に設けた嵌合凹部８の側面８ｂは内方（断熱屋根パネルＡの内方）に向かって下り傾斜するように形成されている。また、嵌合凹部８よりも下側において接続山部６の側面も内方に向かって下り傾斜するように形成されている。さらに、接続山部６の下部に設けた差し込み凸部１４は断面略Ｌ字状に屈曲形成されている。
【００２８】
そして、このように形成される断熱屋根パネルＡ、Ａを隣接させて接続するにあたっては、上記と同様にして行なうものであり、嵌合凸部７と嵌合凹部８とを嵌合させることによって、断熱性と防水性を有するパッキン４が断熱屋根パネルＡの自重により嵌合凸部７の下面７ａと嵌合凹部８の下面８ａとの間で圧縮されながら挟持されることになり、嵌合凸部７の下面７ａと嵌合凹部８の下面８ａとに密着することになるものである。また、固定具１０を接続山部５、６に打ち込むので、嵌合凸部７と嵌合凹部８との嵌合状態が外れたり緩んだりするのを防止することができると共に、固定具１０により剛性を有する嵌合凸部７と嵌合凹部８との間でパッキン４を圧縮しながら締め付けることができ、嵌合凸部７と嵌合凹部８に対するパッキン４の密着状態を高く維持することができるものである。さらに、上記と同様にして、横方向に隣接する断熱屋根パネルＡ、Ａを接続山部５、６で接続しながら縦横に複数枚の断熱屋根パネルＡ、Ａ…を並設することによって、屋根を形成することができる。
【００２９】
この実施の形態の断熱屋根パネルＡの接続構造では、図１に示すものに比べて、嵌合凸部７と嵌合凹部８との嵌合深さを小さくせずに、接続山部６の上面の幅寸法を大きくすることができ、接続山部５と６の上面の幅寸法をほぼ同等にすることができて接続山部６へ固定具１０を打ち込む際に接続山部６の上面の変形が発生しにくくなるものである。また、差し込み凸部１４を断面略Ｌ字状に形成することにより、排水溝部１４ａを深く形成することができ、しかも、差し込み凸部１４を貫通しないように接続山部５に固定具１０を打ち込むことにより、排水溝部１４ａに孔があかないようにすることができ、排水溝部１４ａの排水性能を高くすることができる。
【００３０】
図４に他の実施の形態を示す。この断熱屋根パネルＡの接続構造では、接続山部５、６の形状が異なる点を除いて上記図１に示す実施の形態と同様である。
【００３１】
嵌合凸部７は接続山部５の厚み方向の略中央部に設けられており、嵌合凸部７の上面は接続山部５の上面を構成しないように形成されている。また、嵌合凸部７よりも上側において接続山部５の側面は内方（断熱屋根パネルＡの内方）に向かって下り傾斜するように形成されている。一方、嵌合凹部８は接続山部６の厚み方向の略中央部に断面コ字状に設けられており、嵌合凹部８の上面は接続山部６の上面に開口しないように形成されている。また、嵌合凹部８よりも上側において接続山部６の側面は外方（断熱屋根パネルＡの外方）に向かって下り傾斜するように形成されている。そして、この断熱屋根パネルＡでは、嵌合凸部７の下面７ａと嵌合凹部８の下面８ａのいずれもが裏面板（下板）の金属板２の側端部の折曲げ加工部分で形成されていると共に、嵌合凸部７の上面７ｃと嵌合凹部８の上面８ｃのいずれもが表面板（上板）の金属板１の側端部の折曲げ加工部分で形成されていることになる。
【００３２】
そして、このように形成される断熱屋根パネルＡ、Ａを隣接させて接続するにあたっては、上記と同様にして行なうものであり、嵌合凸部７と嵌合凹部８とを嵌合させることによって、断熱性と防水性を有するパッキン４が断熱屋根パネルＡの自重により嵌合凸部７の下面７ａと嵌合凹部８の下面８ａとの間で圧縮されながら挟持されることになり、嵌合凸部７の下面７ａと嵌合凹部８の下面８ａとに密着することになるものであるが、この実施の形態では、さらに、断熱性と防水性を有するパッキン４を嵌合凸部７の上面７ｃと嵌合凹部８の上面８ｃとの間に設けるようにしたものであり、このパッキン４も断熱屋根パネルＡの自重により嵌合凸部７の上面７ｃと嵌合凹部８の上面８ｃとの間で圧縮されながら挟持されるようにして、嵌合凸部７の上面７ｃと嵌合凹部８の上面８ｃとに密着させるようにしたものである。また、固定具１０を接続山部５、６に打ち込むので、嵌合凸部７と嵌合凹部８との嵌合状態が外れたり緩んだりするのを防止することができると共に、固定具１０により剛性を有する嵌合凸部７と嵌合凹部８との間で上下両方のパッキン４、４を圧縮しながら締め付けることができ、嵌合凸部７と嵌合凹部８に対する上下両方のパッキン４、４の密着状態を高く維持することができるものである。このようにして横方向に隣接する断熱屋根パネルＡ、Ａを接続山部５、６で接続しながら、上記と同様にして、縦横に複数枚の断熱屋根パネルＡ、Ａ…を並設することによって、屋根を形成することができる。
【００３３】
この実施の形態の断熱屋根パネルＡの接続構造では、図１に示すものに比べて、接続山部５、６の二箇所でパッキン４を設けるので、断熱性及び防水性をより向上させることができるものである。
【００３４】
図５に他の実施の形態を示す。この断熱屋根パネルＡの接続構造では、パッキン４の形状が異なる点を除いて上記図４に示す実施の形態と同様である。すなわち、図４では二つのパッキン４を分離して設けたが、図５の実施の形態では接続山部５、６の上面から嵌合凸部７と嵌合凹部８の下側に至るまで連続するパッキン４を接続山部５、６の間に介在させたものである。
【００３５】
この実施の形態の断熱屋根パネルＡの接続構造では、図４に示すものに比べて、接続山部５、６の隙間の上側略半分がパッキン４で充填されるために、断熱性及び防水性をより向上させることができるものである。
【００３６】
図６に他の実施の形態を示す。この断熱屋根パネルＡの接続構造では、パッキン４の形状が異なる点、キャップ１１の形状が異なる点、接続山部５、６の係止突起１６を設けた部分の形状が異なる点、差し込み凸部１４と差し込み凹部１３の形状が異なる点、嵌合凸部７の下面７ａが表面板（上板）である金属板１の側端部の折曲げ加工部分で形成されると共に嵌合凹部８の下面８ａが裏面板（下板）である金属板２の側端部の折曲げ加工部分で形成される点などを除いて上記図３に示す実施の形態と同様である。すなわち、図３ではパッキン４を嵌合凸部７の下面７ａと嵌合凹部８の下面８ａとの間にのみ設けたものであるが、図６の実施の形態では接続山部５、６の上面から嵌合凸部７と嵌合凹部８の下側に至るまで連続するパッキン４を接続山部５、６の間に介在させたものである。これにより、図３に示すものに比べて、接続山部５、６の隙間の上側略半分がパッキン４で充填されるために、断熱性及び防水性をより向上させることができるものである。
【００３７】
また、キャップ１１は係止片１１ｂの先端に被係止突起１１ｃを略Ｖ字状に形成したものであるが、この被係止突起１１ｃは上記と同様に接続山部５、６の係止突起１６に係止して、キャップ１１を接続山部５、６に取り付けることができる。また、差し込み凸部１４と差し込み凹部１３の形状は図１のものと同様に形成されている。
【００３８】
図７に他の実施の形態を示す。この断熱屋根パネルＡの接続構造では、嵌合凸部７の下面７ａと嵌合凹部８の下面８ａのいずれもが表面板（上板）である金属板１の側端部の折曲げ加工部分で形成されている。また、接続山部５、６の上面から嵌合凸部７の下面７ａの端部と嵌合凹部８の下面８ａの端部に至るまで連続するパッキン４を接続山部５、６の間に介在させたものである。これにより、図３に示すものに比べて、接続山部５、６の隙間の上側略半分がパッキン４で充填されるために、断熱性及び防水性をより向上させることができるものである。また、接続山部５、６の隙間の下側略半分には断熱性の高い他のパッキン４６が充填されており、これにより、接続部分の断熱性能をより高くすることができるものである。また、キャップ１１は係止片１１ｂの先端に被係止突起１１ｃを略Ｕ字状に形成したものであるが、この被係止突起１１ｃは上記と同様に接続山部５、６の係止突起１６に係止して、キャップ１１を接続山部５、６に取り付けることができる。さらに、この実施の形態では、接続された接続山部５、６の両方を貫通するようにして一本の固定具１０を打ち込むようにしたものである。その他の構成は図１のものと同様である。
【００３９】
図８に他の実施の形態を示す。この断熱屋根パネルＡの接続構造では、嵌合凸部７の下面７ａと嵌合凹部８の下面８ａのいずれもが裏面板（下板）である金属板２の側端部の折曲げ加工部分で形成されている。また、接続山部５、６の上部のみに嵌合凸部７と嵌合凹部８とを設けず、図１のものに比べて、嵌合凸部７と嵌合凹部８の厚み方向の寸法を大きく形成したものであって、嵌合凹部８の下面８ａが差し込み凸部１４の上面と兼用するように形成されていると共に嵌合凸部７の下面７ａが差し込み凹部１３の上面と兼用するように形成されている。また、断熱性と防水性を有するパッキン４が断熱屋根パネルＡの自重及び固定具１０の締め付けにより嵌合凸部７の下面７ａと嵌合凹部８の下面８ａとの間で圧縮されながら挟持されることになり、嵌合凸部７の下面７ａと嵌合凹部８の下面８ａとに密着するものである。また、接続山部５、６の上部側面間には別のパッキン４７が充填されており、接続山部５、６の隙間の上面がパッキン４７により全長に亘って閉塞されている。さらに、キャップ１１は、接続山部５、６の上面に固定具１０により取り付けられた従来と同様の固定金具４５により取り付けられている。すなわち、固定金具４５の両端部は係止片部４５ａとして接続山部５、６の外側に突出しており、これにキャップ１１の被係止突起１１ｃを係止するものである。その他の構成は図１のものと同様である。
【００４０】
この断熱屋根パネルＡの接続構造では、パッキン４、４７の両方で防水性を確保することができ、防水性能を向上させることができる。
【００４１】
図９に他の実施の形態を示す。この断熱屋根パネルＡの接続構造では、図８のものにおいて、接続山部５、６の上部側面間にパッキン４を充填する代わりに、一方の接続山部５に接続片３５を突設すると共にこの接続片３５の下面と他方の接続山部６の上面との間にシーリングテープ４０が全長に亘って設けられている。接続片３５は表面板１の接続山部５側の側端部に延設されるものであって、断熱屋根パネルＡの接続山部５の全長に沿ってほぼ水平に形成されており、この接続片３５の下面に防水性確保のためのシーリングテープ４０が設けられている。
【００４２】
そして、一方の断熱屋根パネルＡの接続山部６に他方の断熱屋根パネルＡの接続片３５を被せてシーリングテープ４０を介して重ね合せた後、重ね合せた接続片３５と接続山部３６とシーリングテープ４０を貫通するようにして複数本の固定具１０を屋根下地９にまで打ち込む。また、図８のものと同様に、断熱性と防水性を有するパッキン４が断熱屋根パネルＡの自重及び固定具１０の締め付けにより嵌合凸部７の下面７ａと嵌合凹部８の下面８ａとの間で圧縮されながら挟持されることになり、嵌合凸部７の下面７ａと嵌合凹部８の下面８ａとに密着するものである。このようにして隣接する断熱屋根パネルＡ、Ａ同士を接続すると共に断熱屋根パネルＡ、Ａを屋根下地９に固定するものである。また、バルブタイトなどの固定具を接続片３５の上面から接続山部６に多数個打ち込んで、接続片３５の変形を防止し、シーリングテープ４０を接続山部６に密着させるようにする。尚、上記のように接続山部５、６を接続すると、接続片３５の先端に下方に突出するようにして設けた接続突片３５ａが、接続山部６の斜面の上部に設けた接続凹部６ａに嵌め込めこまれる。
【００４３】
この断熱屋根パネルＡの接続構造では、パッキン４とシーリングテープ４０の両方で防水性を確保することができ、防水性能を向上させることができる。
【００４４】
尚、接続片３５は薄い金属板であるために、シーリングテープ４０の弾性力で変形しやすい場合があり、従って、バルブタイトなどの固定具４１を接続片３５の上面から接続山部３６に多数個打ち込んで、接続片３５の変形を防止し、シーリングテープ４０を接続山部３６に密着させなければならないことがあり、上記他の実施の形態に比べて施工性がやや低下する恐れがある。
【図面の簡単な説明】
【００４５】
【図１】本発明の実施の形態の一例を示す断面図である。
【図２】本発明の断熱屋根パネルを示す断面図である。
【図３】同上の他の実施の形態の一例を示す断面図である。
【図４】同上の他の実施の形態の一例を示す断面図である。
【図５】同上の他の実施の形態の一例を示す断面図である。
【図６】同上の他の実施の形態の一例を示す断面図である。
【図７】同上の他の実施の形態の一例を示す断面図である。
【図８】同上の他の実施の形態の一例を示す断面図である。
【図９】同上の他の実施の形態の一例を示す断面図である。
【図１０】従来の断熱屋根パネルを示す断面図である。
【図１１】断熱屋根パネルの施工例を示す斜視図である。
【図１２】従来例を示す断面図である。
【符号の説明】
【００４６】
１  金属板
２  金属板
３  断熱材
４  パッキン
５  接続山部
６  接続山部
７  嵌合凸部
７ａ  下面
８  嵌合凹部
８ａ  下面
９  屋根下地
１０  固定具
１１  キャップ
１２  頭部
【図１】
2006152759.tif 000003
【図２】
2006152759.tif 000004
【図３】
2006152759.tif 000005
【図４】
2006152759.tif 000006
【図５】
2006152759.tif 000007
【図６】
2006152759.tif 000008
【図７】
2006152759.tif 000009
【図８】
2006152759.tif 000010
【図９】
2006152759.tif 000011
【図１０】
2006152759.tif 000012
【図１１】
2006152759.tif 000013
【図１２】
2006152759.tif 000014